(57)【特許請求の範囲】
【請求項１】
Ｌチャネル信号とＲチャネル信号を加算して得られる同相信号の振幅を非線形増幅する第１の非線形処理部と、
前記Ｌチャネル信号と前記Ｒチャネル信号のいずれか一方から他方を減算して得られる逆相信号の振幅を非線形増幅する第２の非線形処理部と、
を有し、
前記第２の非線形処理部の増幅率は、前記第１の非線形処理部の増幅率よりも小さい
ことを特徴とする音響信号処理装置。
【請求項２】
非線形増幅後の前記同相信号の振幅は第１の値以下に制限され、
非線形増幅後の前記逆相信号の振幅は第２の値以下に制限され、
前記第２の値が、前記第１の値よりも小さい
ことを特徴とする請求項１に記載の音響信号処理装置。
【請求項３】
前記第１の非線形処理部は、前記同相信号の振幅が第１の閾値以上であると、非線形増幅を行い、
前記第２の非線形処理部は、前記逆相信号の振幅が第２の閾値以上であると、非線形増幅を行い、
前記第２の閾値は、前記第１の閾値よりも小さい
ことを特徴とする請求項１または２に記載の音響信号処理装置。
【請求項４】
前記同相信号の低周波数成分を前記第１の非線形処理部に供給する第１のローパスフィルタと、
前記逆相信号の低周波数成分を前記第２の非線形処理部に供給する第２のローパスフィルタと、
の少なくとも一方を有することを特徴とする請求項１〜３のいずれか１の請求項に記載の音響信号処理装置。
【発明の詳細な説明】
【技術分野】
【０００１】
本発明は、デジタル音響信号の再生音の表現力の幅を広げる信号処理技術に関する。
【背景技術】
【０００２】
例えばＣＤプレイヤなどのデジタル音響信号にしたがって音を再生するデジタルオーディオ機器の普及に伴い、ノイズや歪みのないクリアな音を手軽に再生することが可能となっている。
【先行技術文献】
【特許文献】
【０００３】
【特許文献１】特開２００４−０４８１４０号公報
【特許文献２】特開２００４−２６４５０２号公報
【発明の概要】
【発明が解決しようとする課題】
【０００４】
デジタル音響信号に信号処理を施すことで、まるでアナログレコードを再生しているかのような再生音を得ることができれば、再生音の表現力の幅を広げることができる。近年では、アナログレコードの再生音の温かみのある音質に注目が集まっているため、この信号処理に対するニーズも高いと考えられる。
【０００５】
まるでアナログレコードを再生しているかのような再生音とする信号処理としては、例えば、アナログレコードの再生音には必ず含まれるノイズをデジタル音響信号に付与する信号処理が考えられる。
【０００６】
しかし、ノイズをデジタル音響信号に付与する信号処理では、アナログレコードを再生しているかのような再生音とするには不十分である。その理由は以下の通りである。アナログレコードはアナログレコード針がアナログレコードに設けられた溝をトレースすることで再生される。アナログレコード針はアナログレコードの溝に垂直方向に押し当てられているため、アナログレコードの溝をトレースする際に、アナログレコード針は垂直方向よりも水平方向に動きやすく、垂直方向の動きが抑制される傾向にある。このようなアナログレコードに特有の物理現象によって、アナログレコードの再生音には、この物理現象に応じた歪みが生じるが、デジタル音響信号にノイズを付与する信号処理を施しても、このようなアナログレコードに特有の物理現象に応じた歪みが生じた再生音とはならないからである。
【０００７】
本発明は、上述した事情に鑑みてなされたものであって、デジタル音響信号の再生音の表現力の幅を広げる信号処理技術を提供することを目的とする。
【課題を解決するための手段】
【０００８】
上記課題を解決するために本発明は、Ｌチャネル信号とＲチャネル信号を加算して得られる同相信号の振幅を非線形増幅する第１の非線形処理部と、Ｌチャネル信号とＲチャネル信号のいずれか一方から他方を減算して得られる逆相信号の振幅を非線形増幅する第２の非線形処理部と、を有し、第１の非線形処理部の増幅率と、第２の非線形処理部の増幅率とが異なることを特徴とする音響信号処理装置を提供する。
【０００９】
本発明によれば、第１の非線形処理部の増幅率が第２の非線形処理部の増幅率と異なるので、再生音の表現力の幅が広がる。特許文献１には、複数の入力信号をグループ化し、グループごとに入力信号の振幅を増幅する技術が開示されている。特許文献２には、入力信号を複数の周波数帯域に分割し、周波数帯域ごとに入力信号の振幅を増幅する技術が開示されている。しかし、特許文献１および特許文献２に開示の技術は、再生音の表現力の幅を広げる信号処理技術ではなく、本願発明とは全く異なる技術である。
【００１０】
より好ましい態様としては、第２の非線形処理部の増幅率は、第１の非線形処理部の増幅率よりも小さい。アナログレコードでは、同相信号よりも逆相信号の方に、アナログレコードに特有の物理現象に応じた再生音の歪みが生じやすい。この態様によれば、アナログレコードに特有の物理現象に応じた歪みを再現した再生音となり、アナログレコードを再生しているかのような再生音となる。
【００１１】
より好ましい態様としては、非線形増幅後の同相信号の振幅は第１の値以下に制限され、非線形増幅後の逆相信号の振幅は第２の値以下に制限され、第２の値が、第１の値よりも小さい。この態様によれば、アナログレコードに特有の物理現象に応じた歪みを再現した再生音となり、アナログレコードを再生しているかのような再生音となる。
【００１２】
より好ましい態様としては、第１の非線形処理部は、同相信号の振幅が第１の閾値以上であると、非線形増幅を行い、第２の非線形処理部は、逆相信号の振幅が第２の閾値以上であると、非線形増幅を行い、第２の閾値は、第１の閾値よりも小さい。アナログレコードでは、溝に記録されている信号の振幅が大きいほど、アナログレコードに特有の物理現象に応じた再生音の歪みが顕著になる。この態様によれば、同相信号は、その振幅が第１の閾値以上であると非線形増幅される一方、逆相信号は、その振幅が第２の閾値（但し、第２の閾値＜第１の閾値である）以上であると非線形振幅されるので、アナログレコードに特有の物理現象に応じた歪みをより再現した再生音となり、アナログレコードを再生しているかのような再生音により近づけることができる。
【００１３】
より好ましい態様としては、同相信号の低周波数成分を第１の非線形処理部に供給する第１のローパスフィルタと、逆相信号の低周波数成分を第２の非線形処理部に供給する第２のローパスフィルタと、の少なくとも一方を有する。アナログレコードでは、再生音の周波数が低いと、アナログレコードに特有の物理現象に応じた再生音の歪みが生じやすくなる。この態様によれば、同相信号と逆相信号の少なくとも一方の低周波数成分が非線形増幅されるので、アナログレコードに特有の物理現象に応じた歪みをより再現した再生音となり、アナログレコードを再生しているかのような再生音により近づけることができる。
【図面の簡単な説明】
【００１４】
【図１】本発明の第１実施形態の音響信号処理装置１０を用いた再生装置１の構成例を示すブロック図である。
【図２】同音響信号処理装置１０の構成例を示すブロック図である。
【図３】同音響信号処理装置１０の信号処理部１１０が信号処理プログラム１３４ａにしたがって実現する信号処理機能の一例を示す機能ブロック図である。
【図４】非線形処理部２１１および２２１における入力信号と出力信号の振幅の関係を示すグラフである。
【図５】アナログレコード３０で用いられる４５−４５方式を説明するための断面図である。
【図６】Ｌチャネル信号とＲチャネル信号が同相信号である場合のアナログレコード針２０の挙動を示す断面図である。
【図７】Ｌチャネル信号とＲチャネル信号が逆相信号である場合のアナログレコード針２０の挙動を示す断面図である
【図８】本発明の第２実施形態の非線形処理部２１１および２２１における入力信号と出力信号の振幅の関係を示すグラフである。
【図９】本発明の第３実施形態の信号処理部１１０が信号処理プログラム１３４ｂにしたがって実現する信号処理機能の一例を示す機能ブロック図である。
【図１０】本発明の第３実施形態の変形例を示す機能ブロック図である。
【図１１】本発明の第３実施形態の変形例を示す機能ブロック図である。
【発明を実施するための形態】
【００１５】
以下、図面を参照しつつ、本発明の実施の形態について説明する。
＜第１実施形態＞
（Ａ：構成）
図１は、本発明の第１実施形態の音響信号処理装置１０を用いた再生装置１の構成例を示すブロック図である。再生装置１は、音響信号処理装置１０、音響信号入力装置１１および音響信号出力装置１２を有する。音響信号入力装置１１は、例えばＣＤプレイヤであり、音響信号出力装置１２は、例えばスピーカである。
【００１６】
音響信号入力装置１１は、デジタル音響信号であるＬチャネル信号とＲチャネル信号を音響信号処理装置１０に供給する。音響信号処理装置１０は、アナログレコードを再生しているかのような再生音となる信号処理（本実施形態では、非線形増幅）をＬチャネル信号とＲチャネル信号に施し、音響信号出力装置１２に供給する。なお、音響信号処理装置１０が施す非線形増幅の信号処理には、入力信号の振幅に対して出力信号の振幅が大きくなる信号処理だけでなく、出力信号の振幅が入力信号の振幅以下となる信号処理も含まれる。これは、本実施形態だけでなく、他の実施形態においても同様である。音響信号出力装置１２は、供給されたＬチャネル信号とＲチャネル信号に基づいて音を再生する。
【００１７】
図２は、音響信号処理装置１０の構成例を示すブロック図である。図２に示すように、音響信号処理装置１０は、信号処理部１１０、通信インタフェース（以下、「Ｉ／Ｆ」と略記）部１２０、記憶部１３０、およびこれら構成要素間のデータ授受を仲介するバス１４０を含んでいる。
【００１８】
信号処理部１１０は例えばＣＰＵ（Central Processing Unit）である。信号処理部１１０は記憶部１３０（より正確には不揮発性記憶部１３４）に記憶されている信号処理プログラム１３４ａにしたがって作動することで、音響信号処理装置１０の制御中枢として機能する。信号処理部１１０が信号処理プログラム１３４ａにしたがって実行する処理の詳細については後に明らかにする。
【００１９】
通信Ｉ／Ｆ部１２０は、所定の規格に準拠した通信を行う送受信器である。通信Ｉ／Ｆ部１２０は、信号処理部１１０から引き渡されたデータを音響信号出力装置１２へ送信する一方、音響信号入力装置１１から送信されたデータを受信し信号処理部１１０に与える。本実施形態では、音響信号処理装置１０と音響信号入力装置１１或いは音響信号出力装置１２との間のデータ通信を有線通信により実現するが、無線通信で実現してもよい。音響信号処理装置１０と音響信号入力装置１１或いは音響信号出力装置１２の間のデータ通信を有線通信により実現する態様であれば、通信Ｉ／Ｆ部１２０としてＵＳＢ（Universal Serial Bus）Ｉ／ＦやシリアルＩ／Ｆ、ＮＩＣ（Network Interface Card）等を用いるようにすればよい。また、音響信号処理装置１０と音響信号入力装置１１或いは音響信号出力装置１２との間のデータ通信を無線通信により実現する態様であれは、両者の間に無線アクセスポイント装置などの他の装置を介する態様であってもよく、インターネットなどの電気通信回線を介する態様であってもよい。
【００２０】
記憶部１３０は、揮発性記憶部１３２と不揮発性記憶部１３４を含んでいる。揮発性記憶部１３２は例えばＲＡＭ（Random Access Memory）である。揮発性記憶部１３２は、信号処理プログラム１３４ａ等の各種プログラムを実行する際のワークエリアとして信号処理部１１０によって利用される。不揮発性記憶部１３４は例えばフラッシュＲＯＭ（Read Only Memory）である。不揮発性記憶部１３４には、前述した信号処理プログラム１３４ａが予め格納されている。
【００２１】
信号処理部１１０は、音響信号処理装置１０の電源（図示略）の投入或いはリセットを契機として、信号処理プログラム１３４ａを不揮発性記憶部１３４から揮発性記憶部１３２に読み出し、その実行を開始する。信号処理プログラム１３４ａにしたがって作動している信号処理部１１０には、信号処理機能が付与される。この信号処理機能の詳細については、音響信号処理装置１０の動作において説明する。
【００２２】
（Ｂ：動作）
図３は、信号処理部１１０が信号処理プログラム１３４ａにしたがって実現する信号処理機能の一例を示す機能ブロック図である。信号処理部１１０が信号処理プログラム１３４ａにしたがって実現する信号処理機能は、加算部２１０および２２２と、減算部２１２および２２０と、非線形処理部２１１および２２１と、乗算部２１３および２２３との各ブロックに大別される。
【００２３】
加算部２１０は、音響信号入力装置１１から供給されたＬチャネル信号とＲチャネル信号を加算し、両信号に含まれる同相成分を表す同相信号を非線形処理部２１１に供給する。同相成分とは、Ｌチャネル信号とＲチャネル信号の両方に含まれる、同時刻における位相が同一である信号成分のことをいう。一方、減算部２２０は、Ｒチャネル信号からＬチャネル信号を減算し、両信号に含まれる逆相成分を表す逆相信号を非線形処理部２２１に供給する。逆相成分とは、Ｌチャネル信号とＲチャネル信号の両方に含まれる、同時刻における位相が半周期異なる信号成分のことをいう。
【００２４】
非線形処理部２１１および２２１は、入力信号に対して飽和関数に従った非線形増幅を施し後段に出力する。非線形処理部２１１および２２１では、入力信号の振幅が大きくなればなるほど、増幅率を小さくする。増幅率とは、入力信号の振幅に対する出力信号の振幅の割合のことである。図４は、非線形処理部２１１および２２１における入力信号と出力信号の振幅の関係（すなわち、飽和関数）を示すグラフである。図４のｘ軸が入力信号の振幅であり、ｙ軸が出力信号の振幅である。さらに、図４のグラフの傾きが増幅率である。図４に示すように、非線形処理部２１１および２２１への入力信号の振幅が大きくなっても、出力信号の振幅は所定の一定値に近づくだけで、出力信号の振幅がこの一定値を超えることはない。
【００２５】
減算部２１２は、非線形処理部２１１から供給された同相信号から、非線形処理部２２１から供給された逆相信号を減算し、乗算部２１３に供給する。乗算部２１３は、供給された信号の振幅を半分にしてＬチャネル信号として出力する。一方、加算部２２２は、同相信号と逆相信号を加算し、乗算部２２３に供給する。乗算部２２３は、供給された信号の振幅を半分にしてＲチャネル信号として出力する。
【００２６】
本実施形態では、非線形処理部２１１および２２１の各々における非線形増幅の内容が異なり、この点に本実施形態の特徴がある。具体的には、図４に示すように、非線形処理部２２１における一定値ｑ１の方が、非線形処理部２２１における一定値ｐ１よりも小さい。さらに、非線形処理部２２１の増幅率は、非線形処理部２１１の増幅率よりも小さい。このようになっている理由は以下の通りである。
【００２７】
図５は、アナログレコード３０で用いられる４５−４５方式を説明するための断面図である。アナログレコード３０には、９０°に溝が掘られており、この溝を例えばダイヤモンドで形成されたアナログレコード針２０がトレースすることで音が再生される。一般的に、この溝の内周側４５°はＬチャネル信号に対応して掘られており、外周側４５°はＲチャネル信号に対応して掘られている。ダイヤモンド等で形成されたアナログレコード針２０には互いに垂直な方向に伝搬する振動には相互干渉が発生しない性質があるため、アナログレコード針２０がアナログレコード３０の溝をトレースすることで、相互干渉の少ないＬチャネル信号とＲチャネル信号を取り出すことができる。これが、アナログレコード３０で用いられている４５−４５方式である。
【００２８】
図６は、Ｌチャネル信号とＲチャネル信号が同相信号である場合のアナログレコード針２０の挙動を示す断面図である。Ｌチャネル信号とＲチャネル信号が同相信号であると、アナログレコード針２０には、図６（ａ）に示すようなアナログレコード３０と平行に外周側から内周側に向けて力が加わるか、図６（ｂ）に示すようなアナログレコード３０と平行に内周側から外周側に向けて力が加わる。したがって、この場合、アナログレコード針２０は、アナログレコード３０の水平方向に振れる。
【００２９】
図７は、Ｌチャネル信号とＲチャネル信号が逆相信号である場合のアナログレコード針２０の挙動を示す断面図である。Ｌチャネル信号とＲチャネル信号が逆相信号であると、アナログレコード針２０には、図７（ａ）に示すようなアナログレコード３０と垂直に下向きの力が加わるか、図７（ｂ）に示すようなアナログレコード３０と垂直に上向きの力が加わる。したがって、この場合、アナログレコード針２０は、アナログレコード３０の垂直方向に振れる。
【００３０】
アナログレコード針２０は、アナログレコード３０の溝に垂直方向に押し当てられているため、垂直方向の動きが抑制される。そのため、Ｌチャネル信号とＲチャネル信号に含まれる逆相成分の振幅は、本来の振幅の値よりも小さくなり、再生音が歪むことになる。
【００３１】
本実施形態の非線形処理部２１１および２２１の各々における非線形増幅において、逆相信号が供給される非線形処理部２２１の増幅率を、同相信号が供給される非線形処理部２１１の増幅率より小さくし、非線形処理部２１１における一定値ｑ１を、非線形処理部２２１における一定値ｐ１よりも小さくしたのは、上記で説明した４５−４５方式のアナログレコード３０の再生音における逆相成分の歪みを再現するためである。本実施形態であれば、アナログレコード３０を再生しているかのような再生音とすることができ、デジタル音響信号の再生音の表現力の幅を広げることができる。
【００３２】
＜第２実施形態＞
図８は、この発明の第２実施形態の非線形処理部２１１および２２１における入力信号と出力信号の振幅の関係を示すグラフである。本実施形態が第１実施形態と異なるのは、非線形処理部２１１および２２１の入力信号に対する非線形増幅の処理内容である。具体的には、非線形処理部２１１および２２１の各々は、コンプレッサである。この非線形増幅の処理内容以外に関しては、本実施形態は第１実施形態と同一である。従って、本実施形態では、同一の構成要素には同一の符号を付けて、その説明を省略する。以下では非線形処理部２１１および２２１の非線形増幅の処理内容を中心に説明する。
【００３３】
図８のｘ軸が入力信号の振幅であり、ｙ軸が出力信号の振幅である。さらに、図８のグラフの傾きが増幅率である。図８に示すように、非線形処理部２１１および２２１は、入力信号の振幅が閾値よりも小さい場合には、入力信号を線形増幅し後段に供給する。一方、入力信号の振幅が閾値以上の場合には、入力信号の振幅が閾値よりも小さい場合の増幅率とは異なる増幅率で入力信号に線形増幅を施し後段に出力する。結果として、非線形処理部２１１および２２１が入力信号に対して施す処理内容は、非線形増幅となる。
【００３４】
図８に示すように、本実施形態における逆相信号の振幅についての閾値ｑ２の方が同相信号の振幅についての閾値ｐ２よりも小さい。そして、非線形処理部２２１の増幅率は、非線形処理部２１１の増幅率よりも小さい。このため、本実施形態においても、アナログレコード３０における逆相成分の歪みを再現することができ、アナログレコード３０を再生しているかのような再生音となる。
【００３５】
アナログレコード３０の再生音の歪みは、溝に記録されている信号の振幅が大きいほど顕著になる。すなわち、アナログレコード３０の再生音は、溝に記録された信号の振幅が小さいと歪まず、振幅が大きいと歪むのである。本実施形態によれば、非線形処理部２１１および２２１は、入力信号の振幅が閾値以上の場合にのみ、入力信号に非線形増幅を施すため、第１実施形態よりも、アナログレコード３０を再生しているかのような再生音により近づけることができ、デジタル音響信号の再生音の表現力の幅をより広げることができる。
【００３６】
＜第３実施形態＞
図９は、この発明の第３実施形態の信号処理部１１０が信号処理プログラム１３４ｂにしたがって実現する機能の一例を示す機能ブロック図である。本実施形態が第１実施形態と異なる点は、不揮発性記憶部１３４に信号処理プログラム１３４ａではなく、信号処理プログラム１３４ｂが格納されている点である。この点以外においては、本実施形態は第１実施形態と同一である。従って、本実施形態では、同一の構成要素には同一の符号を付けて、その説明を省略する。以下では信号処理プログラム１３４ｂを中心に説明する。
【００３７】
図９と図４を比較すれば明らかなように、信号処理部１１０が信号処理プログラム１３４ｂにしたがって実現する信号処理機能は、信号処理部１１０が信号処理プログラム１３４ａにしたがって実現する信号処理機能と同様の各ブロックに、ハイパスフィルタ３１０および３２０と、ローパスフィルタ３１１および３２１と、加算部３３０および３３１との各ブロックに大別される。ハイパスフィルタ３１０および３２０は、所定の周波数よりも高周波数帯域の信号のみを後段に供給する帯域分割フィルタであり、ローパスフィルタ３１１および３２１は、所定の周波数以下の低周波数帯域の信号のみを後段に供給する帯域分割フィルタである。
【００３８】
入力信号は、ハイパスフィルタ３１０および３２０と、ローパスフィルタ３１１および３２１とにより帯域分割される。そして、ハイパスフィルタ３１０および３２０により帯域分割された入力信号の高周波数成分は、何ら処理を加えられずに加算部３３０および３３１に供給される。一方、ローパスフィルタ３１１および３２１により帯域分割された入力信号の低周波数成分は、第１実施形態と同様の非線形増幅を施される。なお、この非線形増幅は第２実施形態の非線形増幅であってもよい。
【００３９】
ハイパスフィルタ３１０および３２０により帯域分割された入力信号の高周波成分と、非線形増幅を施された入力信号の低周波数成分は、加算部３３０および３３１により加算され、出力信号として音響信号出力装置１２に供給される。
【００４０】
本実施形態では、入力信号の低周波数成分にのみ非線形増幅を施しているが、これは以下の理由による。入力信号の低周波数成分は振幅が大きいため、低周波数帯域では、再生音の歪みが顕著になる。本実施形態は、この現象を再現するためのものである。
【００４１】
本実施形態であれば、第１実施形態よりも、アナログレコード３０を再生しているかのような再生音により近づくことができ、デジタル音響信号の再生音の表現力の幅をより広げることができる。
【００４２】
＜他の実施形態＞
以上、この発明の第１〜第３実施形態について説明したが、この発明には他にも実施形態があり得る。例えば次の通りである。
（１）上記各実施形態では、アナログレコード３０を再生しているかのような再生音が得られるようにするため、非線形処理部２１１および２２１は、入力信号に対して、図４や図８に示すような非線形増幅を施した。しかし、この非線形増幅は、図４や図８に示す非線形増幅に限られず、アナログレコード３０を再生しているかのような再生音となるならば、他の非線形増幅であってもよい。
【００４３】
（２）上記各実施形態では、この発明による信号処理をコンピュータプログラムである信号処理プログラム１３４ａ或いは１３４ｂにより実現した。しかし、この発明による信号処理（非線形増幅）を実施するための手段の態様は、コンピュータプログラムに限定されるものではない。例えば電子回路等により、加算部２１０や非線形処理部２１１および２２１等を構成し、これら各部を組み合わせて構成してもよい。
【００４４】
（３）上記各実施形態では、Ｒチャネル信号からＬチャネル信号を減算し、逆相信号としていたが、Ｌチャネル信号からＲチャネル信号を減算し、逆相信号としてもよい。ただし、この場合、減算部２１２の替わりに同相信号と逆相信号を加算する加算部を設け、加算部２２２の替わりに同相信号から逆相信号を減算する減算部を設ける必要がある。これは、音響信号出力装置１２にＬチャネル信号とＲチャネル信号を供給するためである。
【００４５】
（４）上記各実施形態では、逆相信号が供給された非線形処理部２２１の増幅率は、同相信号が供給された非線形処理部２１１の増幅率より小さかったが、その逆でもよい。この場合、従来にはなかった新しい音を作り出すことが可能となり、デジタル音響信号の再生音の表現力の幅を広げることができる。さらに、上記第１実施形態では、逆相信号の一定値ｑ１が、同相信号の一定値ｐ１よりも小さかったが、その逆でもよい。また、上記第２実施形態では、逆相信号の閾値ｑ２が、同相信号の閾値ｐ２よりも小さかったが、その逆でもよい。いずれも場合においても、デジタル音響信号の再生音の表現力の幅を広げることができる。
【００４６】
（５）上記第１実施形態と上記第２実施形態を組み合わせてもよい。非線形処理部２１１或いは２２１は、入力信号の振幅が閾値よりも小さい場合は、入力信号に線形増幅を施し、入力信号の振幅が閾値よりも大きい場合は、入力信号の振幅が大きくなればなるほど増幅率を小さくし、入力信号の振幅が所定の一定値に近づくような非線形増幅を施す。非線形増幅が施された入力信号の振幅が、この一定値を超えることはない。このようにすることで、アナログレコード３０を再生しているかのような再生音により近づけることができ、デジタル音響信号の再生音の表現力の幅をより広げることができる。
【００４７】
（６）上記第３実施形態では、ローパスフィルタ３１１および３２１の後段に加算部２１０および減算部２２０を各々設けたが、図１０に示すように、これらの順序が逆であってもよい。また、図１１に示すように、加算部２１０の後段にハイパスフィルタ３１０とローパスフィルタ３１１を設け、減算部２２０の後段にハイパスフィルタ３２０とローパスフィルタ３２１を設けてもよい。ただし、この場合、非線形処理部２１１および２２１の後段に加算部３３０および３３１を各々設ける必要がある。要は、同相信号の低周波数成分が非線形処理部２１１に供給され、逆相信号の低周波数成分が非線形処理部２２１に供給される態様であれば、どのような態様であってもよい。
【００４８】
（７）上記第３実施形態では、ハイパスフィルタ３１０とローパスフィルタ３１１の２つのフィルタにより入力信号を所定の周波数で分割する帯域分割を行ったが、バンドパスフィルタをさらに用いてもよい。この態様であれば、より細かく再生音の歪みを調整することができ、アナログレコード３０を再生しているかのような再生音により近づけることができ、デジタル音響信号の再生音の表現力の幅をより広げることができる。
【００４９】
（８）上記第３実施形態では、Ｌチャネル信号とＲチャネル信号の両方が帯域分割されていたが、Ｌチャネル信号とＲチャネル信号のいずれか一方のみが帯域分割されていてもよい。すなわち、信号処理部１１０が信号処理プログラム１３４ｂにしたがって実現する信号処理機能において、ハイパスフィルタ３１０、ローパスフィルタ３１１および加算部３３０が存在しなくてもよいし、ハイパスフィルタ３２０、ローパスフィルタ３２１および加算部３３１が存在しなくてもよい。
【符号の説明】
【００５０】
１……再生装置、１０……信号処理装置、１１……音響信号入力装置、１２……音響信号出力装置、２０……アナログレコード針、３０……アナログレコード、１１０……信号処理部、１２０……通信Ｉ／Ｆ部、１３０……記憶部、１３２……揮発性記憶部、１３４……不揮発性記憶部、１３４ａ，１３４ｂ……信号処理プログラム、１４０……バス、２１０，２２２，３３０，３３１……加算部、２２０，２１２……減算部、２１１，２２１……非線形処理部、２１３，２２３……乗算部、３１０，３２０……ハイパスフィルタ、３１１，３２１……ローパスフィルタ。
【図１】
0006578859.tif 000002
【図２】
0006578859.tif 000003
【図３】
0006578859.tif 000004
【図４】
0006578859.tif 000005
【図５】
0006578859.tif 000006
【図６】
0006578859.tif 000007
【図７】
0006578859.tif 000008
【図８】
0006578859.tif 000009
【図９】
0006578859.tif 000010
【図１０】
0006578859.tif 000011
【図１１】
0006578859.tif 000012